(57)【要約】【課題】本発明は、キーボード取り付け部と収容部とを可能な限り接近させることができ、筐体のコンパクト化を実現できる電子機器の提供を目的とする。【解決手段】電子機器は、キーボード取り付け部(15)を有する筐体(4)を備えている。キーボード取り付け部にキーボード(17)が設置されている。キーボードはキーボード取り付け部の後方に突出するとともに、筐体に取り外し可能に固定される複数の固定片(21a,21b)を有している。筐体にバッテリパック(50)が取り外し可能に装着されるバッテリ収容部(16)が設けられている。バッテリ収容部はキーボード取り付け部の背後において固定片の間に位置している。【選択図】      図２
2005157789.tif 000002
【特許請求の範囲】
【請求項１】
キーボード取り付け部を有する筐体と、
上記キーボード取り付け部に設けられ、上記キーボード取り付け部の後方に突出するとともに上記筐体に取り外し可能に固定される複数の固定片を有するキーボードと、
上記筐体に設けられ、上記キーボード取り付け部の背後において上記固定片の間に位置する収容部と、
上記収容部に装着されるモジュールと、を具備したことを特徴とする電子機器。
【請求項２】
請求項１の記載において、上記キーボードの固定片は上記筐体の幅方向に互いに離れているとともに、上記筐体は上記固定片が固定される複数の受け部を有し、上記固定片と上記受け部との固定部分は、取り外し可能なカバーで覆われていることを特徴とする電子機器。
【請求項３】
請求項２の記載において、上記カバーは上記筐体の受け部に取り外し可能に嵌合されるとともに、この嵌合時に上記キーボード取り付け部との間で上記キーボードを挟み込むことを特徴とする電子機器。
【請求項４】
請求項１の記載において、上記収容部は、上記筐体の上方、後方および下方に向けて開口する凹所であり、この収容部の前端は上記キーボード取り付け部の下方に位置することを特徴とする電子機器。
【請求項５】
上面にキーボード取り付け部を有する筐体と、
上記筐体に設けられ、上記キーボード取り付け部の背後に位置するとともに少なくとも上記筐体の上方および後方に向けて開口する収容部と、
上記キーボード取り付け部に設けられ、上記収容部に隣接した位置で上記キーボード取り付け部の後方に突出するとともに上記筐体の上面に取り外し可能に固定される複数の固定片を有するキーボードと、
上記筐体の収容部に取り外し可能に装着され、上記収容部に装着した時に上記固定片と上記筐体との固定部分を覆い隠すカバー部を有するモジュールと、を具備したことを特徴とする電子機器。
【請求項６】
キーボード取り付け部を有する筐体と、
上記筐体に設けられ、上記キーボード取り付け部の背後に位置するとともに少なくとも上記筐体の上方および後方に向けて開口する収容部と、
上記キーボード取り付け部に設けられ、上記収容部に向けて突出するとともに上記筐体に取り外し可能に固定される固定片を有するキーボードと、
上記筐体の収容部に取り外し可能に装着され、上記収容部に装着した時に上記固定片と上記筐体との固定部分を覆い隠すカバー部を有するモジュールと、を具備したことを特徴とする電子機器。
【請求項７】
請求項５又は請求項６の記載において、上記モジュールは内蔵物を収容するケースを有し、このケースが上記収容部に取り外し可能に装着されるとともに、上記カバー部は上記ケースに設けられることを特徴とする電子機器。
【請求項８】
キーボード取り付け部を有する筐体と、
上記筐体に設けられ、上記キーボード取り付け部の背後に位置するとともに少なくとも上記筐体の上方および後方に向けて開口する収容部と、
上記収容部に取り外し可能に装着されるモジュールと、
上記キーボード取り付け部に設けられたキーボードと、を具備し、
上記キーボードは、上記収容部と上記モジュールとの間に介在される固定片を有し、この固定片は、上記筐体に取り外し可能に固定されるとともに上記モジュールで覆われることを特徴とする電子機器。
【請求項９】
請求項１、請求項５、請求項６および請求項８のいずれかの記載において、上記キーボードの固定片は、夫々ねじを介して上記筐体に固定されることを特徴とする電子機器。
【請求項１０】
請求項５、請求項６および請求項８のいずれかの記載において、上記収容部の前端は上記キーボード取り付け部の下方に位置し、上記モジュールの前端が上記キーボードの下方に入り込むことを特徴とする電子機器。
【発明の詳細な説明】
【技術分野】
【０００１】
本発明は、キーボードの背後に例えばバッテリパックのようなコンピュータモジュールを配置した電子機器に関する。
【背景技術】
【０００２】
ポータブルコンピュータのような電子機器は、筐体の上面にキーボードを備えている。キーボードは、キーボードフレームと、このキーボードフレームの上面に配置された複数のキートップとを有している。キーボードフレームは、筐体の上面に形成したキーボード取り付け部に取り外し可能に支持されている。キーボード取り付け部は、筐体の上面に開口するような凹所であり、キーボードフレームに対応するような大きさを有している。
【０００３】
キーボードフレームの前縁は、キーボード取り付け部の前端部に取り外し可能に引っ掛かっている。キーボードフレームの後縁は、合成樹脂製のキーボードホルダを介してキーボード取り付け部の後端部に保持されている。
【０００４】
キーボードホルダは、キーボードフレームの後縁に沿って延びる細長い棒状であり、複数の係合爪を有している。係合爪は、キーボード取り付け部の後端部に取り外し可能に嵌め込まれている。この嵌め込みにより、キーボードホルダが筐体に保持されるとともに、キーボードフレームの後縁がキーボードホルダとキーボード取り付け部との間で挟み込まれるようになっている（例えば、特許文献１参照）。
【０００５】
一方、ポータブルコンピュータのような電子機器において、キーボードを有する筐体の後端部にバッテリパックを装着したものが知られている。この種の電子機器の筐体は、バッテリパックを取り外し可能に支持するバッテリ収容部を備えている。バッテリ収容部は、表示部を回動可能に支持する一対のヒンジの間に設けられているとともに、キーボード取り付け部の背後に位置している（例えば、特許文献２参照）。
【特許文献１】特開平１１−１７５１８６号公報（図３，４，６〜８）
【特許文献２】特開２００１−１０２０１８号公報
【発明の開示】
【発明が解決しようとする課題】
【０００６】
特許文献２に開示された電子機器において、そのキーボードの固定に特許文献１に開示されたキーボードホルダを採用した場合、キーボード取り付け部とバッテリ収容部との間にキーボードホルダが入り込む。
【０００７】
このため、キーボード取り付け部とバッテリ収容部との間にキーボードホルダを嵌め込む専用のスペースを確保しなくてはならず、キーボード取り付け部とバッテリ収容部との間隔が広がるのを避けられない。したがって、筐体の奥行き寸法が増大し、電子機器のコンパクト化を図る上での妨げとなるといった不具合がある。
【０００８】
本発明は、このような事情に基づいてなされたもので、筐体のコンパクト化を実現できる電子機器の提供を目的とする。
【課題を解決するための手段】
【０００９】
上記目的を達成するため、本発明の一つの形態に係る電子機器は、  
キーボード取り付け部を有する筐体と、  
上記キーボード取り付け部に設けられ、上記キーボード取り付け部の後方に突出するとともに上記筐体に取り外し可能に固定される複数の固定片を有するキーボードと、  
上記筐体に設けられ、上記キーボード取り付け部の背後において上記固定片の間に位置する収容部と、  
上記収容部に取り外し可能に装着されるモジュールと、を備えていることを特徴とする。
【発明の効果】
【００１０】
本発明によれば、筐体のコンパクト化を実現することができる。
【発明を実施するための最良の形態】
【００１１】
以下本発明の第１の実施の形態を、図１ないし図１３に基づいて説明する。
【００１２】
図１は、電子機器としてのポータブルコンピュータ１を開示している。ポータブルコンピュータ１は、コンピュータ本体２とディスプレイユニット３とを備えている。コンピュータ本体２は、金属製の筐体４を有している。筐体４は、底壁４ａ、上壁４ｂ、左右の側壁４ｃ、前壁４ｄおよび後壁４ｅを有する偏平な箱状をなしている。
【００１３】
筐体４の側壁４ｃと後壁４ｅとで規定される角部に凹部５ａ，５ｂが形成されている。凹部５ａ，５ｂは、筐体４の後端に位置するとともに、筐体４の幅方向に互いに離れている。
【００１４】
ディスプレイユニット３は、ディスプレイハウジング７と液晶表示パネル８とを備えている。ディスプレイハウジング７は、筐体４と同じ大きさの偏平な箱状であり、その一端部に一対の脚部９ａ，９ｂを有している。脚部９ａ，９ｂは、ディスプレイハウジング７の幅方向に互いに離れているとともに、筐体４の凹部５ａ，５ｂに入り込んでいる。
【００１５】
液晶表示パネル８は、ディスプレイハウジング７に収容されている。液晶表示パネル８は、画像を表示するスクリーン８ａを有している。スクリーン８ａは、ディスプレイハウジング７の前面に形成した開口部１０を通じてディスプレイハウジング７の外方に露出している。
【００１６】
図３に示すように、ディスプレイユニット３は、一対のヒンジ金具１１を介して筐体４に支持されている。ヒンジ金具１１は、脚部９ａ，９ｂと筐体４との間に跨るヒンジ軸１２を有している。ヒンジ軸１２は、筐体４の幅方向に沿って水平に配置されている。ヒンジ軸１２の一端は、ブラケット１３を介して筐体４に回動可能に支持されているとともに、ヒンジ軸１２の他端は、図示しない他のブラケットを介してディスプレイハウジング７に固定されている。
【００１７】
ディスプレイユニット３は、ヒンジ軸１２を中心に閉じ位置と開き位置との間で回動可能となっている。閉じ位置では、ディスプレイユニット３はコンピュータ本体２を上方から覆うように筐体４の上に横たわるようになっている。開き位置では、ディスプレイユニット３は筐体４の上壁４ｂを露出させるようにコンピュータ本体２に対し起立するようになっている。
【００１８】
図１に示すように、筐体４はキーボード取り付け部１５とバッテリ収容部１６とを備えている。キーボード取り付け部１５は、上壁４ｂの上面に開口する矩形状の凹所であり、キーボード１７を支持している。図４ないし図６に示すように、キーボード１７は、キーボードフレーム１８と複数のキートップ１９とを有している。キーボードフレーム１８は、キーボード取り付け部１５にきっちりと嵌まり込むような大きさの金属板であり、キーボード取り付け部１５の底面１５ａの上に重ね合わされている。キートップ１９は、キーボードフレーム１８の上面に支持されている。
【００１９】
キーボードフレーム１８は、筐体４の幅方向に延びる前縁部２０ａおよび後縁部２０ｂを有している。キーボードフレーム１８の前縁部２０ａは、キーボード取り付け部１５の前端部に取り外し可能に引っ掛かっている。図４および図５に示すように、キーボードフレーム１８は、一対の固定片２１ａ，２１ｂを有している。固定片２１ａ，２１ｂは、キーボードフレーム１８の後縁部２０ｂの左端部および右端部からキーボード１７の後方に向けて突出しており、夫々通孔２２を有している。
【００２０】
筐体４の上壁４ｂに一対の受け部２４ａ，２４ｂが形成されている。受け部２４ａ，２４ｂは、キーボード１７の固定片２１ａ，２１ｂが入り込む凹みであり、筐体４の凹部５ａ，５ｂとキーボード取り付け部１５との間に位置している。受け部２４ａ，２４ｂは、筐体４の幅方向に互いに離れており、キーボード取り付け部１５の後端部の左端および右端に夫々開口している。さらに、受け部２４ａ，２４ｂは、底面２５を有している。底面２５は、キーボード取り付け部１５の底面１５ａに連続しており、この底面２５にねじ孔２６を有するボス部２７と一対の係合孔２８が形成されている。
【００２１】
キーボード２５をキーボード取り付け部１５に装着した状態では、固定片２1ａ，２１ｂが受け部２４ａ，２４ｂに入り込むとともに、ボス部２７の上面に重なり合っている。固定片２１ａ，２１ｂの通孔２２に上方からねじ２９が挿通されている。ねじ２９はボス部２７のねじ孔２６にねじ込まれており、このねじ込みにより、キーボードフレーム１８の固定片２１ａ，２１ｂが筐体４に固定されている。
【００２２】
また、本実施の形態では、キーボードフレーム１８の下面にボス部３０が形成されている。ボス部３０は、固定片２１ａ，２１ｂの間に位置するとともに、筐体４の内部に露出している。ボス部３０と筐体４の底壁４ａとの間に他のねじ３１が架け渡されている。ねじ３１は、筐体４の底壁４ａを貫通してボス部３０にねじ込まれており、このねじ込みにより、キーボード取り付け部１５に対するキーボード１７の中央部の浮き上がりが抑えられている。
【００２３】
このことから、キーボード１７は、キーボードフレーム１８の後縁部２０ｂの二ヶ所および中央部の一ヶ所で筐体４に固定されている。
【００２４】
筐体４の受け部２４ａ，２４ｂに夫々合成樹脂製のカバー３３が嵌め込まれている。図７ないし図１０に示すように、カバー３３は、受け部２４ａ，２４ｂの開口端を閉塞する天板３４と、この天板３４の前端部から下向きに延出する支持壁３５と、天板３４から下向きに突出する一対の係合爪３６とを備えている。
【００２５】
係合爪３６は、カバー３３を受け部２４ａ，２４ｂに嵌め込んだ時に、受け部２４ａ，２４ｂの底面２５の係合孔２８に引っ掛かり、カバー３３を筐体４に保持している。これにより、カバー３３の天板３４の上面が筐体４の上壁４ｂの上面と同一面上に位置している。
【００２６】
カバー３３の支持壁３５は、キーボード１７の最後列のキートップ１９の直前に位置し、その下端がキーボードフレーム１８の後縁部２０ｂの上面に接している。このため、カバー３３の支持壁３５は、キーボード取り付け部１５の底面１５ａとの間でキーボードフレーム１８の後縁部２０ｂを挟み込んでいる。よって、カバー３３は、キーボード１７をキーボード取り付け部１５に保持する機能も兼ね備えている。
【００２７】
図１１および図１２に示すように、上記バッテリ収容部１６は、筐体４の底壁４ａ、上壁４ｂおよび後壁４ｅに連続して開口する凹所であり、左右のガイド壁４１ａ，４１ｂおよび前端壁４２を有している。バッテリ収容部１６は、キーボード取り付け部１５の背後において筐体４の幅方向に延びているとともに、キーボード１７の固定片２１ａ，２１ｂを固定する受け部２４ａ，２４ｂの間に位置している。
【００２８】
言い換えると、受け部２４ａ，２４ｂは、筐体４の上壁４ｂのうちバッテリ収容部１６の左側および右側に空いた領域に形成されている。このため、キーボードフレーム１８の固定片２１ａ，２１ｂと筐体４との固定部分は、バッテリ収容部１６を間に挟んで筐体４の幅方向に振り分けられている。
【００２９】
バッテリ収容部１６のガイド壁４１ａ，４１ｂは、夫々ガイドレール４３を有している。ガイドレール４３は、バッテリ収容部１６に露出するとともに、筐体４の奥行き方向に沿って水平に延びている。図６に示すように、バッテリ収容部１６の前端壁４２は、キーボード取り付け部１５の後端部の下方に位置するように筐体４の内側に入り込んでおり、最後列のキートップ１９の下方に位置している。このため、キーボード取り付け部１５とバッテリ収容部１６とは、筐体４の奥行き方向に互いにオーバラップしている。
【００３０】
バッテリ収容部１６の前端壁４２に一対のラッチ４４ａ，４４ｂとコネクタリセプタクル４５が配置されている。ラッチ４４ａ，４４ｂは、前端壁４２の左端部および右端部に位置するとともに、バッテリ収容部１６に露出している。ラッチ４４ａ，４４ｂは、ロック位置とロック解除位置との間でスライド可能であり、常に図示しないスプリングを介してロック位置に保持されている。コネクタリセプタクル４５は、ラッチ４４ａ，４４ｂの間でバッテリ収容部１６に露出している。
【００３１】
筐体４の底壁４ａにイジェクトレバー４６とロックレバー４７が配置されている。イジェクトレバー４６は、ラッチ４４ａ，４４ｂをロック位置からロック解除位置にスライドさせる時に指先で操作するものである。ロックレバー４７は、イジェクトレバー４６をロック位置に保持するためのものである。これらレバー４６，４７は、バッテリ収容部１６と隣り合っている。
【００３２】
図６および図１２に、バッテリ収容部１６は、モジュールとしてのバッテリパック５０を取り外し可能に支持している。バッテリパック５０は、ポータブルコンピュータ１を商用交流電源が得られない場所で使用する際の電源となるものである。バッテリパック５０は、内蔵物としての複数のバッテリ５１と、これらバッテリ５１を収容する合成樹脂製のケース５２とを備えている。
【００３３】
ケース５２は、バッテリ収容部１６にきっちりと嵌まり込むような中空の細長い箱状をなしている。ケース５２は、バッテリ収容部１６のガイド壁４１ａ，４１ｂと向かい合う左右の側面５２ａ，５２ｂと、バッテリ収容部１６の前端壁４２と向かい合う先端面５２ｃとを有している。ケース５２は、筐体４の後方からバッテリ収容部１６に挿入される。この挿入により、ケース５２の側面５２ａ，５２ｂに形成したガイド溝５３にガイドレール４３が摺動可能に入り込み、ケース５２の挿入方向がガイドされるとともに、ケース５２がバッテリ収容部１６に保持される。
【００３４】
ケース５２の先端面５２ｃに一対のロック爪５４ａ，５４ｂとバッテリコネクタ５５が配置されている。ロック爪５４ａ，５４ｂは、ケース５２をバッテリ収容部１６の定位置に装着した時にラッチ４４ａ，４４ｂに引っ掛かり、これによりバッテリパック５０がバッテリ収容部１６に抜き出し不能にロックされる。バッテリコネクタ５５は、ロック爪５４ａ，５４ｂの間に位置し、ロック爪５４ａ，５４ｂがラッチ４４ａ，４４ｂに引っ掛かった時にコネクタリセプタクル４５に電気的に接続される。
【００３５】
さらに、ケース５２は、下面５６ａ、上面５６ｂおよび後面５６ｃを有している。これら各面５６ａ〜５６ｃは、バッテリパック５０をバッテリ収容部１６に装着した時にバッテリ収容部１６の外方に露出し、夫々筐体４の外郭の一部を構成するようになっている。
【００３６】
図６に示すように、バッテリ収容部１６にバッテリパック５０を装着した状態では、バッテリパック５０の前端部がキーボード１７の後端部の下方に入り込んでいる。具体的には、ケース５２の先端面５２ｃ、コネクタリセプタクル４５とバッテリコネクタ５５との接続部およびラッチ４４ａ，４４ｂとロック爪５４ａ，５４ｂとの係合部がキーボードパネル１８の後縁部２０ｂの下方に潜り込んでいる。
【００３７】
したがって、キーボード１７とバッテリパック５０とは、筐体４の奥行き方向にオーバラップした状態で筐体４に支持されており、キーボード１７の最後列のキートップ１９の直後にバッテリパック５１の上面５６ｂの前端が位置している。
【００３８】
このような本発明の第１の実施の形態によれば、筐体４のバッテリ収容部１６は、キーボード１７の固定片２１ａ，２１ｂを固定する受け部２４ａ，２４ｂの間に位置するので、固定片２１ａ，２１ｂがキーボード取り付け部１５とバッテリ収容部１６との間に入り込むことはない。このため、バッテリ収容部１６を極力キーボード取り付け部１５に近づけることができる。
【００３９】
しかも、上記構成によると、バッテリパック５０の前端がキーボードフレーム１８の後縁部２０ｂの下に潜り込んでいるので、バッテリパック５０とキーボード１７とを筐体４の奥行き方向に互いにオーバラップさせることができる。
【００４０】
したがって、バッテリ収容部１６とキーボード取り付け部１５との間の間隔が狭まることと相まって、筐体４の奥行き寸法を減じることができ、ポータブルコンピュータ１のコンパクト化が可能となる。
【００４１】
さらに、バッテリ収容部１６は、筐体４の上方、後方および下方に開放する形状を有するので、バッテリパック５０のケース５２の下面５６ａ、上面５６ｂおよび後面５６ｃが筐体４の外方に露出している。このため、筐体４の底壁４ａおよび上壁４ｂがバッテリパック５０と重なり合うことはなく、バッテリパック５０を筐体４の内部に格納する場合との比較において、筐体４を薄くコンパクトに形成することができる。
【００４２】
なお、上記第１の実施の形態では、キーボードフレーム１８の固定片２１ａ，２１ｂをねじ２９を介して筐体４の受け部２４ａ，２４ｂに固定したが、本発明はこれに制約されるものではない。
【００４３】
例えばカバー３３を受け部２４ａ，２４ｂに嵌め込んだ時の嵌合力により、このカバー３３の支持壁３５と受け部２４ａ，２４ｂの底面２５との間で固定片２１ａ，２１ｂを挟み込むようにしてもよい。この構成によれば、ねじ２９が不要となるとともに、カバー３３を着脱するだけの作業でキーボード１７をキーボード取り付け部１５に固定したり、この固定を解除することができる。
【００４４】
さらに、バッテリ収容部にしても筐体の後壁のみに開口する形状とし、バッテリパックを筐体の内部に格納する構成としてもよい。
【００４５】
一方、本発明は上記第１の実施の形態に特定されるものではなく、図１４および図１５に本発明の第２の実施の形態を示す。
【００４６】
この第２の実施の形態では、筐体４の上壁４ｂの受け部２４ａ，２４ｂがバッテリ収容部１６の上端部に臨む位置に形成されている。受け部２４ａ，２４ｂは筐体４の奥行き方向に延びる溝状をなしており、その前端がキーボード取り付け部１５の後端部に開口するとともに、後端が上壁４ｂと後壁４ｅとで規定される角部に開口している。このため、受け部２４ａ，２４ｂおよび受け部２４ａ，２４ｂのボス部２７に固定される固定片２１ａ，２１ｂの配置間隔は、上記第１の実施の形態よりも小さくなっている。
【００４７】
バッテリパック５０のケース５２は、その上面５６ｂの左端部と右端部に夫々側方に向けて水平に張り出すカバー部６１ａ，６１ｂを有している。カバー部６１ａ，６１ｂは、バッテリパック５０をバッテリ収容部１６の定位置に装着した時に、受け部２４ａ，２４ｂおよび固定片２１ａ，２１ｂを上方から覆い隠すとともに、筐体４の上壁４ｂと同一面上に位置するようになっている。
【００４８】
各カバー部６１ａ，６１ｂの前端に斜め下向きに延出する支持壁６２が形成されている。支持壁６２は、バッテリパック５０をバッテリ収容部１６の定位置に装着した時に、キーボードフレーム１８の後縁部２０ｂに上方から接触し、この後縁部２０ｂをキーボード取り付け部１５との間で挟み込んでいる。
【００４９】
このような構成において、バッテリパック５０を筐体４の後方からバッテリ収容部１６に挿入すると、固定片２１ａ，２１ｂとボス部２７との固定部分がケース５２のカバー部６１ａ，６１ｂによって上方から覆い隠される。
【００５０】
このことにより、バッテリ収容部１６にバッテリパック５０を装着した状態では、固定片２１ａ，２１ｂとボス部２７との固定部分が外から見えず、この固定部分はバッテリパック５０をバッテリ収容部１６から取り外した時に筐体４の上壁４ｂに露出される。したがって、固定片２１ａ，２１ｂとボス部２７との固定部分を覆う専用のカバーが不要となり、部品点数を削減できる。
【００５１】
加えて、固定片２１ａ，２１ｂは、ねじ２９を用いて受け部２４ａ，２４ｂに固定されているので、バッテリパック５０をバッテリ収容部１６から取り外した状態でも、キーボード１７の固定が解除されることはない。
【００５２】
さらに、上記構成によれば、キーボード１７の固定片２１ａ，２１ｂを固定する受け部２４ａ，２４ｂは、バッテリ収容部１６の左側および右側に位置するので、これら固定片２１ａ，２１ｂがキーボード取り付け部１５とバッテリ収容部１６との間に入り込むことはない。よって、バッテリ収容部１６とキーボード取り付け部１５との間の間隔を極力狭めることができ、筐体４の奥行き寸法を減じることができる。
【００５３】
しかも、筐体４の上壁４ｂに形成される受け部２４ａ，２４ｂがバッテリ収容部１６に近づき、これら受け部２４ａ，２４ｂの配置間隔が狭まる。このため、上壁４ｂのうち受け部２４ａ，２４ｂの左側および右側に広い空きスペースを確保でき、この空きスペースに例えばアイコンや操作摘みを配置することが可能となる。
【００５４】
図１６および図１７は、本発明の第３の実施の形態を開示している。
【００５５】
この第３の実施の形態は、キーボードフレーム１８の固定片２１ａ，２１ｂの位置およびバッテリパック５０のケース５２の形状が上記第１の実施の形態と相違しており、これ以外のポータブルコンピュータ１の構成は第１の実施の形態と同様である。このため、第３の実施の形態において、第１の実施の形態と同一の構成部分には同一の参照符号を付して、その説明を省略する。
【００５６】
図１７に示すように、バッテリ収容部１６は、キーボード取り付け部１５の後端に開口している。キーボードフレーム１８の固定片２１ａ，２１ｂは、キーボードフレーム１８の後縁部２０ｂからバッテリ収容部１６に向けて突出しており、バッテリ収容部１６の左右のガイド壁４１ａ，４１ｂと隣り合っている。
【００５７】
バッテリ収容部１６の前端壁４２は、ガイド壁４１ａ，４１ｂに沿ってバッテリ収容部１６に張り出す一対のアーム部７１（一方のみを図示）を有している。アーム部７１の先端部に夫々ねじ孔７２を有するボス部７３が形成されており、このボス部７３の上面に固定片２１ａ，２１ｂが重ね合わされている。固定片２１ａ，２１ｂの通孔２２に上方からねじ７４が挿通されている。ねじ７４はねじ孔７２にねじ込まれており、このねじ込みにより、キーボードフレーム１８の固定片２１ａ，２１ｂがボス部７３に固定されている。このため、キーボード１７の後端部の二ヶ所は、バッテリ収容部１６の内側で筐体４に固定されている。
【００５８】
バッテリパック５０のケース５２は、バッテリ５１を収容する収容室７６と、中空の一対のカバー部７７とを有している。カバー部７７は、固定片２１ａ，２１ｂとボス部７３との固定部分を覆い隠すためのものであり、収容室７６の左端部および右端部に位置するとともに、ケース５２の先端面５２ｃに開口している。
【００５９】
図１７に示すように、ケース５２は、その上面５６ｂの前端に斜め下向きに延出する支持壁７８を有している。支持壁７８は、ケース５２の幅方向に沿って延びており、カバーブ７７の前端部の間に跨っている。支持壁７８は、バッテリパック５０をバッテリ収容部１６の定位置に装着した時に、キーボードフレーム１８の後縁部２０ｂに上方から接触し、この後縁部２０ｂをキーボード取り付け部１５との間で挟み込んでいる。
【００６０】
このような構成において、バッテリパック５０を筐体４の後方からバッテリ収容部１６に挿入すると、固定片２１ａ，２１ｂとボス部７３との固定部分がケース５２のカバー部７７の内側に入り込み、このカバー部７７によって覆い隠される。
【００６１】
このことにより、バッテリ収容部１６にバッテリパック５０を装着した状態では、固定片２１ａ，２１ｂとボス部７３との固定部分が外から見えず、この固定部分はバッテリパック５０をバッテリ収容部１６から取り外した時に、このバッテリ収容部１６に露出される。したがって、固定片２１ａ，２１ｂとボス部７３との固定部分を覆う専用のカバーが不要となり、部品点数を削減できる。
【００６２】
さらに、上記構成によれば、キーボード１７の固定片２１ａ，２１ｂは、バッテリ収容部１６の内側で筐体４のボス部７３に固定されるので、これら固定片２１ａ，２１ｂがキーボード取り付け部１５とバッテリ収容部１６との間に入り込むことはない。よって、バッテリ収容部１６とキーボード取り付け部１５との間の間隔を極力狭めることができ、筐体４の奥行き寸法を減じることができる。
【００６３】
図１８および図１９は、本発明は第４の実施の形態を開示している。
【００６４】
この第４の実施の形態は、キーボード１７の後端部を筐体４に固定するための構成が上記第１の実施の形態と相違しており、それ以外のポータブルコンピュータ１の構成は第１の実施の形態と同様である。このため、第４の実施の形態において、第１の実施の形態と同一の構成部分には同一の参照符号を付してその説明を省略する。
【００６５】
図１９に示すように、キーボード１７のキーボードフレーム１８は、一対の固定片８１ａ，８１ｂを有している。固定片８１ａ，８１ｂは、キーボードフレーム１８の後縁部２０ｂの左端部および右端部から下向きに直角に折り曲げられている。固定片８１ａ，８１ｂは、キーボード取り付け部１５の底面１５ａに開けた貫通孔８２を通じてバッテリ収容部１６の前端に突出するとともに、その突出端部に通孔８３を有している。
【００６６】
バッテリ収容部１６の前端壁４２は、ねじ孔８４を有する一対のボス部８５を有している。ボス部８５は、前端壁４２の左端部および右端部からバッテリ収容部１６に向けて突出しており、このボス部８５の突出端に固定片８１ａ，８１ｂが重ね合わされている。
【００６７】
固定片８１ａ，８１ｂの通孔８３に後方からねじ８６が挿通されている。ねじ８６は、ボス部８５のねじ孔８４にねじ込まれており、このねじ込みにより、キーボードフレーム１８の固定片８１ａ，８１ｂがボス部８５に固定されている。このため、キーボード１７の後端部の二ヶ所は、バッテリ収容部１６の内側で筐体４に固定されている。
【００６８】
バッテリパック５０のケース５２は、その前端の左端部と右端部に凹部８８（一方のみを図示）を有している。凹部８８は、バッテリ収容部１６のボス部８５に対応する位置に形成されている。このため、バッテリパック５０をバッテリ収容部１６の定位置に装着すると、凹部８８の内側にねじ８６の頭、固定片８１ａ，８１ｂおよびボス部８５が夫々入り込むようになっている。そのため、固定片８１ａ，８１ｂとボス部８５との固定部分は、バッテリパック５０のケース５２によって覆い隠されている。
【００６９】
このような構成によると、バッテリ収容部１６にバッテリパック５０を装着した状態では、固定片８１ａ，８１ｂとボス部８５との固定部分が外から見えず、この固定部分はバッテリパック５０をバッテリ収容部１６から取り外した時に、このバッテリ収容部１６の前端に露出される。したがって、固定片８１ａ，８１ｂとボス部８５との固定部分を覆う専用のカバーが不要となり、部品点数を削減できる。
【００７０】
さらに、キーボード１７の固定片８１ａ，８１ｂは、キーボードフレーム１８の後縁部２０ｂから下向きに直角に折り曲げられてバッテリ収容部１６の内側に位置するとともに、このバッテリ収容部１６の前端壁４２とバッテリパック５０の前端との間に介在されている。このため、固定片８１ａ，８１ｂがキーボード取り付け部１５とバッテリ収容部１６との間に介在されることはない。よって、バッテリ収容部１６とキーボード取り付け部１５との間の間隔を極力狭めることができ、筐体４の奥行き寸法を減じることができる。
【００７１】
加えて、キーボード１７の固定片８１ａ，８１ｂがバッテリ収容部１６の内側に位置するので、筐体４の上壁４ｂのうちバッテリ収容部１６の左側および右側に広い空きスペースを確保でき、この空きスペースに例えばアイコンや操作摘みを配置することが可能となる。
【００７２】
なお、本発明において、筐体に装着されるモジュールはバッテリパックに特定されるものではなく、その他のパック状機器であってもよい。
【図面の簡単な説明】
【００７３】
【図１】本発明の第１の実施の形態に係るポータブルコンピュータの斜視図。
【図２】本発明の第１の実施の形態に係るポータブルコンピュータの平面図。
【図３】本発明の第１の実施の形態において、筐体のバッテリ収容部とディスプレイユニットを回動可能に支持するヒンジ金具との位置関係を示すポータブルコンピュータの斜視図。
【図４】本発明の第１の実施の形態において、キーボードの左側の固定片と筐体の左側の受け部との位置関係を示す斜視図。
【図５】本発明の第１の実施の形態において、キーボードの右側の固定片と筐体の右側の受け部との位置関係を示す斜視図。
【図６】図２のF6−F6線に沿う断面図。
【図７】図２のF7−F7線に沿う断面図。
【図８】図２のF8−F8線に沿う断面図。
【図９】本発明の第１の実施の形態において、筐体の受け部を覆うカバーの斜視図。
【図１０】本発明の第１の実施の形態において、筐体の受け部を覆うカバーを裏側から見た斜視図。
【図１１】本発明の第１の実施の形態において、バッテリ収容部の形状を示すポータブルコンピュータの斜視図。
【図１２】本発明の第１の実施の形態において、筐体のバッテリ収容部にバッテリパックを挿入した状態を示すポータブルコンピュータの平面図。
【図１３】本発明の第１の実施の形態に用いるバッテリパックの斜視図。
【図１４】本発明の第２の実施の形態に係るポータブルコンピュータの斜視図。
【図１５】本発明の第２の実施の形態において、筐体のバッテリ収容部にバッテリパックを装着した状態を示すポータブルコンピュータの断面図。
【図１６】本発明の第３の実施の形態に係るポータブルコンピュータの平面図。
【図１７】図１６のF17−F17線に沿う断面図。
【図１８】本発明の第４の実施の形態に係るポータブルコンピュータの平面図。
【図１９】図１８のF19−F19線に沿う断面図。
【符号の説明】
【００７４】
４…筐体、１５…キーボード取り付け部、１６…収容部（バッテリ収容部）、１７…キーボード、２１ａ，２１ｂ，８１ａ，８１ｂ…固定片、５０…モジュール（バッテリパック）、６１ａ，６１ｂ，７７…カバー部。
【図１】
2005157789.tif 000003
【図２】
2005157789.tif 000004
【図３】
2005157789.tif 000005
【図４】
2005157789.tif 000006
【図５】
2005157789.tif 000007
【図６】
2005157789.tif 000008
【図７】
2005157789.tif 000009
【図８】
2005157789.tif 000010
【図９】
2005157789.tif 000011
【図１０】
2005157789.tif 000012
【図１１】
2005157789.tif 000013
【図１２】
2005157789.tif 000014
【図１３】
2005157789.tif 000015
【図１４】
2005157789.tif 000016
【図１５】
2005157789.tif 000017
【図１６】
2005157789.tif 000018
【図１７】
2005157789.tif 000019
【図１８】
2005157789.tif 000020
【図１９】
2005157789.tif 000021